(57)【要約】      （修正有）【課題】反発磁力のみで回転する回転機について。【解決手段】反発磁力を加圧、圧縮する事により最接近させ、同時に反発磁力を円周方向に逓減（次第に減少）させ、回転の静止を防止し、かつ円滑に回転させる。尚、対極磁界（ＮとＮ、ＳとＳ）における両反発磁力の逓減を同一に設定する事により、回転子は一定方向に回転し、かつ２倍（対極の両磁界分）の回転力を得る事ができる。【選択図】図２
2013150529.tif 000002
【特許請求の範囲】
【請求項１】
反発磁力を加圧と逓減する方法で、反発力のみで回転することを特徴とする対極磁界の回転機。（超伝導バルク磁石を含む）
【請求項２】
回転子の磁石塊（逓減磁した磁石の割片）が遠心力により周方向に動き、磁石（超伝導バルク磁石を含む）の反発力のみを利用し回転する事。
【請求項３】
異磁極間に中央反発磁力を設定し、回転子と回転軸が直角の位置関係にある挟み込み型回転子は、両面の異なる磁界で発生する反発磁力を同時に利用する事。（超伝導バルク磁石を含む）
【請求項４】
反発磁力のみで回転する回転機の回転子は、磁性体である事。（超伝導バルク磁石を含む）
【請求項５】
反発磁力のみで回転する回転機に於いて、一方は連続した磁力で、他方は逓減された反発磁力である事。
【請求項６】
反発磁力のみで回転する回転機に於いて、回転子に異なった磁極を距離の調節により接近させて制御する事。
【請求項７】
反発磁力のみで回転する回転機に於いて、永久磁石の同磁極を接近させる事により回転する事。（超伝導バルク磁石を含む）
【請求項８】
反発磁力のみで回転する回転機に於いて、固定子回転子双方の継ぎ目の重なりにより回転を静止させない方法で設定する事。
【請求項９】
磁力のみで回転する回転機について、磁力を加圧と逓変する方法で、一定方向に回転する事を特徴とする磁力回転機。
【発明の詳細な説明】
【技術分野】
【０００１】本発明は複数磁界の磁力回転機について対極磁界を一軸で共有する磁力回転機に係わり、反発磁力のみで回転する回転機に関する。
【背景技術】
【０００２】１、電流を利用
コイルに電流を通した電磁石と永久磁石が、磁力の吸引力と反発力を交互に利用して連続回転する。
２、浮力を利用
超伝導体及び超伝導バルク磁石にする為に冷却装置を使用した浮力回転体。
３、中間の回転子が逓減磁を伴わない円柱形の強磁性体で、一時的に微回転する回転体。
４、突極歯車を多用したハイブリッド型ステッピングモーター。
５、回転子に歯型を利用
複数磁界の磁力回転機（特願２００５−３２６６９５  請求項５−歯型回転子）。
【発明が解決しようとする課題】
【０００３】複数磁界による磁力回転機（特願２００５−３２６６９５  請求項５−歯型回転子）について、
１、反発磁極は、お互い排斥し合う。近づけると磁極同士が瞬間的に「はねる」ので常に不安定である。
２、磁石の吸引力を利用しないので回転力が弱い。
３、回転方向が一定しない。
４、「ムラ」が生じ静止する。
【課題を解決する為の手段】
【０００４】１、加圧：（安定化）
反発磁極同士を近づける際、瞬間的に発生する不安定な反発力を外部から加圧して接近させる方法により、連続で安定した反発力に整える。反発力が強化され、回転力は強化される。
２、逓減磁：（静止の防止と方向の確定）
回転子は磁極間の磁束分布が対称となる箇所で静止する。そこで対向する反発磁力を一箇所以上逓減する方法で静止箇所を減らす事により、回転の静止を防ぐと共に一定方向に連続回転させる。
反発磁力を逓減する方法は下記の通り。
１、磁石塊の素材（スピンの方向、密度等）を調整する。
２、対向する磁極間の距離を調整する。
３、対向磁極の対向面積を調整する。
４、対向磁極の形態を変える。
５、突極を設定し、位置を定める。    等
３、磁石塊の遠心力利用：（強力化）
回転子における各々の磁石塊を固定せず独立して配設する遠心力型回転機の場合は、回転子が回転すると遠心力により配設された磁石塊が固定子（反発磁極）に最接近し、反発力を極限まで圧縮して強力な反発力となる。（相互に排斥し合うので極限まで接近可能である）
４、対極磁界の利用：（２倍の強化）
対極磁界（ＮとＮ、ＳとＳ）の異なる磁力は同一の逓減をすることにより２倍（両異磁界分）の回転力を得る事ができる。
５、連結：（再強力）
当回転機を複数連結する事により、さらに強力な回転力を得る事ができる。
【実施例】
【０００５】  固定子と回転子は対向した反発磁極である。固定子は均等の連続した磁力面である。回転子は円周方向に逓減磁した一個以上の磁極で構成される。
［図１］遠心力型回転機：回転子と回転軸が平行の位置関係にある
１、回転子を周囲より異磁極で加圧する形の回転機は、一つの回転軸に異なる二つの磁界（ＮとＮ、ＳとＳ）を構成しているので、円柱状の左右に異なる磁界が発生する。
２、回転子の反発磁極は一個以上の逓減磁した磁極（磁石塊）で構成され、各々の磁石塊は独立して配設する。回転子が回転すると遠心力により配設された磁石塊が固定子（反発磁極）に最接近し、反発力を極限まで圧縮して強力な反発力となる（相互に排斥し合うので極限まで接近可能である）。尚、各々の磁石塊は円周面に沿って強磁力から弱磁力に逓減しておく事により、回転子は一定方向に回転する。
［図２］挟み込み型回転機：回転子と回転軸が直角の位置関係にある
１、固定子は、中央の反発磁力回転子をはさみ込んで両面から加圧する事により反発力を圧縮し、同時に反発磁力を逓減する事により回転する。
２、中央の反発磁力回転子は、磁束を撹乱して磁束勾配を大きく生じさせ  強力回転を得られるように羽根車型、タービン翼型等（歯車型を除く）の形態を用いる。
３、中央の反発磁力回転子は、強磁力（Ａ）から弱磁力（Ｂ）に向かい、弧面に沿って逓減磁する。また回転子は、両面の異なった磁力が同時に作用する事により二倍の回転力となる。
［図３］連結型回転機
回転力を強化する為に、図２の回転軸を連結した反発磁力のみで回転する回転機の断面図。
【その他】
（磁石塊の継ぎ目）円周に沿って逓減磁した磁石塊同士の継ぎ目は「斜め」とする。
（ヨーク）対極磁界を共有する
（円柱磁石）対極磁界を共有する
（磁石塊の数）固定子もしくは回転子のどちらか一方は奇数個で、他方を偶数個とする。
（突極）磁極の最強点（磁極の継ぎ目）に突極を設定する。
【発明の効果】
【０００６】１、動力源。
２、本体にコイルを装着し発電機。
３、回転子に発電機を直結しての発電
改善による効果
１、加圧効果
１−１  不安定な反発磁力を整えて安定化する
１−２  加圧力によって回転力を強化する
２、逓減磁効果
２−１  静止を防止する
２−２  一定の方向に回転させる
２−３  円滑に連続回転させる
３、遠心力効果：
３−１  回転力が上昇する
４、対極磁界に発生する双磁力を利用する事による効果
４−１  回転力が２倍に強化される
５、連結効果
５−１  連結により強力な回転力を得る事ができる
５−２  効率的に磁力を利用した回転力を得る事ができる。
【図面の簡単な説明】
【０００７】
【図１】遠心力型回転機：回転子と回転軸が平行の位置関係にある  １、正面見取図  ２、断面図  ２−１  左側面図  ２−２  正面図  ２−３  右側面図  ３、回転子を構成する磁石塊の拡大図  円周表面に沿って磁力が逓減する場合  ３−１  左側面図  ３−２  右側面図
【図２】挟み込み型回転機：回転子と回転軸が直角の位置関係にある  １、正面見取図  ２、断面図  ２−１  左側面図  ２−２  正面図  ２−３  右側面図  ３、回転子を構成する磁石塊の拡大図  ３−１  回転中央部から円周に向かって磁力が逓減する場合  ３−１−１  左側面図  ３−１−２  右側面図  ３−２  円周側面に沿って磁力が逓減する場合  ３−２−１  左側面図  ３−２−２  右側面図
【図３】連結型回転機  挟み込み型回転機を連結した複数磁界回転機の断面図
【符号の説明】１、回転子
２、固定子
３、回転軸
４、回転台
５、中央の反発磁力回転子（タービン翼型、羽根車型等）
６、反発磁力の磁石塊（平面型、扇体型等）
７、ヨーク（磁力防止体、磁石接着体）
８、円柱磁石（ヨーク固着体）
Ａ、強磁力点
Ｂ、弱磁力点
Ｎ、Ｎ極
Ｓ、Ｓ極
【図１】
2013150529.tif 000003
【図２】
2013150529.tif 000004
【図３】
2013150529.tif 000005